(57)【要約】  制御信号光用の光源を備えることなく制御信号光を出力できるとともに、当該制御信号光の波長をネットワークの状態に応じて柔軟に管理・変更することができる光中継装置等を提供する。  本発明の光中継装置は、波長多重光信号を受信する光受信手段と、第１の波長を指定すると共に通知情報を出力する制御手段と、受信された波長多重光信号から第１の波長の光信号を選択して通知情報に応じた強度変調を施し、当該強度変調した光信号を波長多重光信号に戻して出力する処理手段と、を備える。
2015145985.tif 000002
【特許請求の範囲】
【請求項１】
波長多重光信号を受信する光受信手段と、
第１の波長を指定すると共に通知情報を出力する制御手段と、
前記受信された波長多重光信号から前記第１の波長の光信号を選択して前記通知情報に応じた強度変調を施し、当該強度変調した光信号を前記波長多重光信号に戻して出力する処理手段と、
を備える光中継装置。
【請求項２】
前記処理手段は、前記第１の波長の光信号の光パワーを前記通知情報に応じてフィルタすることにより、前記強度変調を施すことを特徴とする請求項１に記載の光中継装置。
【請求項３】
前記処理手段は、前記指定された波長の光信号の光パワーを前記制御情報に応じて減衰する可変光減衰器を含む、請求項２に記載の光中継装置。
【請求項４】
前記第１の波長の光信号の、前記フィルタによる光強度変化を補償するための、前記第１の波長とは異なる波長を有するダミー光を生成して前記処理手段に出力する光出力手段をさらに備えることを特徴とする請求項２又は３に記載の光中継装置。
【請求項５】
前記制御手段は、自装置の状態を通知するための通知情報を出力することを特徴とする請求項１乃至４のいずれか１項に記載の光中継装置。
【請求項６】
前記制御手段は、外部から入力された制御信号に応じて、前記第１の波長を指定することを特徴とする請求項１乃至５のいずれか１項に記載の光中継装置。
【請求項７】
前記受信された波長多重光信号を分岐し、一方の波長多重光信号を外部に出力すると共に他方の波長多重光信号を前記処理手段に出力する分岐手段をさらに備えることを特徴とする請求項１乃至６のいずれか１項に記載の光中継装置。
【請求項８】
前記波長多重光信号は、制御情報に応じた強度変調が施された第２の波長の光信号と、前記第２の波長とは異なる波長を有する複数の光信号と、が重畳されたものであり、
前記処理手段は、入力された制御信号に基づいて、前記受信された波長多重光信号から前記第２の波長の光信号を抽出し、
前記制御手段は、前記抽出された第２の波長の光信号から前記制御情報を取得し、取得した制御情報に基づいて所定の制御を行う、
請求項１乃至７のいずれか１項に記載の光中継装置。
【請求項９】
前記制御情報は、前記第１の波長を指定する情報であり、
前記制御手段は、取得した制御情報に基づいて前記第１の波長を指定する、
請求項８に記載の光中継装置。
【請求項１０】
データ通信に使用可能である、互いに異なる波長の光信号をそれぞれ出力する複数の送信手段、および、
前記出力された複数の光信号を合波して波長多重光信号として送信する送信側処理手段、
を備える光送信装置と、
前記波長多重光信号を受信する光受信手段、
第１の波長を指定すると共に通知情報を出力する受信側制御手段、および、
前記受信された波長多重光信号から前記第１の波長の光信号を選択して前記通知情報に応じた強度変調を施し、当該強度変調した光信号を前記波長多重光信号に戻して出力する受信側処理手段、
を備える光中継装置と、
を含む光通信システム。
【請求項１１】
前記光送信装置は、
第２の波長を指定すると共に制御情報を出力する送信側制御手段をさらに備え、
送信側処理手段は、前記出力された複数の光信号から前記第２の波長の光信号を選択して前記制御情報に応じた強度変調を施し、選択されなかった複数の光信号と合波して波長多重光信号として送信し、
前記受信側処理手段は、前記受信された波長多重光信号から前記第２の波長の光信号を抽出し、
前記受信側制御手段は、前記抽出された第２の波長の光信号から前記制御情報を取得し、取得した制御情報に基づいて所定の制御を行う、
請求項１０に記載の光通信システム。
【請求項１２】
前記送信側制御手段は、前記光中継装置を制御するための制御情報を出力し、
前記受信側制御手段は、自装置の状態を通知するための通知情報を出力する、
請求項１１に記載の光通信システム。
【請求項１３】
前記第２の波長を指定するための制御信号を送信する制御装置をさらに含み、
前記送信側制御手段および受信側処理手段は、受信された前記制御信号に応じて前記第２の波長を特定し、
前記受信側制御手段は、前記取得した制御情報に基づいて前記第１の波長を特定する、
請求項１１または１２に記載の光通信システム。
【請求項１４】
波長多重光信号を受信し、
第１の波長を指定すると共に通知情報を出力し、
前記受信された波長多重光信号から前記第１の波長の光信号を選択して前記通知情報に応じた強度変調を施し、当該強度変調した光信号を前記波長多重光信号に戻して出力する、
光中継方法。
【請求項１５】
光中継装置のコンピュータに、
波長多重光信号を受信する処理と、
第１の波長を指定すると共に通知情報を出力する処理と、
前記受信された波長多重光信号から前記第１の波長の光信号を選択して前記通知情報に応じた強度変調を施し、当該強度変調した光信号を前記波長多重光信号に戻して出力する処理と、
を実行させるためのプログラムを記憶した、
前記コンピュータが読み取り可能な記憶媒体。
【発明の詳細な説明】
【技術分野】
【０００１】
本発明は、光中継装置、光通信システム、光中継方法及び記憶媒体に関する。
【背景技術】
【０００２】
近年、トラフィックの増加に伴い、光通信システムにおいて、回線（ライン）の広帯域化やネットワークの高機能化が求められている。そのため、ＯＡＤＭ（Ｏｐｔｉｃａｌ  Ａｄｄ−Ｄｒｏｐ  Ｍｕｌｔｉｐｌｅｘｅｒ）やＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）といった技術が当該光通信システムに適用されている。ＯＡＤＭやＲＯＡＤＭを使用した光通信システムは、例えば、特許文献１、２に開示されている。【０００３】
ＯＡＤＭシステムやＲＯＡＤＭシステムでは、波長分割多重（ＷＤＭ：Ｗａｖｅｌｅｎｇｔｈ  Ｄｉｖｉｓｉｏｎ  Ｍｕｌｔｉｐｌｅｘｉｎｇ）通信が用いられ、例えば、伝送装置がクライアント信号を、波長多重光信号として海底ケーブルに入力し、１つの光ファイバに複数のパスを収容することによって、ネットワークの柔軟性を向上している。【０００４】
ここで、ＯＡＤＭシステムやＲＯＡＤＭシステムでは、光送信装置が、光中継装置を制御する制御用の光信号を波長多重光信号に含ませ、当該光中継装置を制御することが一般的である。また、光中継装置が、自装置の状況を伝える目的で、制御用の光信号を波長多重光信号に含ませることもある。【０００５】
特許文献３は、波長多重送信装置が、データを含む複数の光信号と、光中継器の増幅率の調整等を行うための情報を含む監視光信号（制御信号光）とを合波した波長多重信号を、光ファイバへ送出する技術を開示する。特許文献３に記載の波長多重送信装置は、複数の光信号の各々を出力する複数の光源と、監視光信号（制御信号光）を出力する監視光光源とを備え、当該複数の光源及び監視光光源から出力された複数の光信号を合波した波長多重信号を生成する。
【先行技術文献】
【特許文献】
【０００６】
【特許文献１】特開２０１３−０４６１６６号公報
【特許文献２】特開２０１０−０８１２９７号公報
【特許文献３】特開平９−８７７３号公報
【発明の概要】
【発明が解決しようとする課題】
【０００７】
特許文献３に記載のように、波長多重送信装置が監視光信号（制御信号光）用の光源を備えていると、監視光信号（制御信号光）の波長を容易に変更することができず、当該監視光信号の波長をネットワークの状況に応じて柔軟に管理・変更することができない。【０００８】
また、光中継装置は、例えば海底等に設置されることもあり、光源を備えることが困難な場合がある。そのため、監視光信号（制御信号光）を送信する光中継装置に対して、監視光信号（制御信号光）用の光源が必要な特許文献１に記載の技術を適用することはできない場合がある。【０００９】
本発明の目的は、上記問題を解決し、制御信号光用の光源を備えることなく制御信号光を出力できるとともに、当該制御信号光の波長をネットワークの状態に応じて柔軟に管理・変更することができる光中継装置等を提供することである。
【課題を解決するための手段】
【００１０】
本発明の光中継装置は、波長多重光信号を受信する光受信手段と、第１の波長を指定すると共に通知情報を出力する制御手段と、前記受信された波長多重光信号から前記第１の波長の光信号を選択して前記通知情報に応じた強度変調を施し、当該強度変調した光信号を前記波長多重光信号に戻して出力する処理手段と、を備える。【００１１】
本発明の光通信システムは、データ通信に使用可能である、互いに異なる波長の光信号をそれぞれ出力する複数の送信手段、および、前記出力された複数の光信号を合波して波長多重光信号として送信する送信側処理手段、を備える光送信装置と、前記波長多重光信号を受信する光受信手段、第１の波長を指定すると共に通知情報を出力する受信側制御手段、および、前記受信された波長多重光信号から前記第１の波長の光信号を選択して前記通知情報に応じた強度変調を施し、当該強度変調した光信号を前記波長多重光信号に戻して出力する受信側処理手段、を備える光中継装置と、を含む。【００１２】
本発明の光中継方法は、波長多重光信号を受信し、第１の波長を指定すると共に通知情報を出力し、前記受信された波長多重光信号から前記第１の波長の光信号を選択して前記通知情報に応じた強度変調を施し、当該強度変調した光信号を前記波長多重光信号に戻して出力する。【００１３】
本発明の記憶媒体は、光中継装置のコンピュータに、波長多重光信号を受信する処理と、第１の波長を指定すると共に通知情報を出力する処理と、前記受信された波長多重光信号から前記第１の波長の光信号を選択して前記通知情報に応じた強度変調を施し、当該強度変調した光信号を前記波長多重光信号に戻して出力する処理と、を実行させるためのプログラムを記憶した、前記コンピュータが読み取り可能な記憶媒体。
【発明の効果】
【００１４】
本発明の光中継装置、光通信システム、光中継方法及び記憶媒体は、制御信号光用の光源を備えることなく制御信号光を出力できるとともに、当該制御信号光の波長をネットワークの状態に応じて柔軟に管理・変更することができるという効果がある。
【図面の簡単な説明】
【００１５】
【図１】本発明の第１の実施形態における、光通信システムの構成例である。
【図２】本発明の第１の実施形態における、光送信装置１の構成例を示す図である。
【図３】本発明の第１の実施形態における光送信装置１の動作例を示すフローチャートである。
【図４】本発明の第２の実施形態における、光中継装置３の構成例を示す図である。
【図５】本発明の第２の実施形態における、光中継装置３の動作例を示すフローチャートである。
【図６】本発明の第３の実施形態における、光送信装置１の構成例を示す図である。
【図７】本発明の第３の実施形態における、光中継装置３の構成例を示す図である。
【図８】本発明の第３の実施形態における、光中継装置３の動作例を示すフローチャートである。
【図９】本発明の第３の実施形態における、光受信装置４の構成例を示す図である。
【図１０】本発明の第３の実施形態における、光受信装置４の動作例を示すフローチャートである。
【図１１】本発明の第３の実施形態における、光中継装置３の他の構成例を示す図である。
【図１２】本発明の第３の実施形態における、光受信装置４の他の構成例を示す図である。
【図１３】本発明の第４の実施形態における、光中継装置３の構成例を示す図である。
【図１４】本発明の第５の実施形態における、光中継装置３の構成例を示す図である。
【図１５】本発明の第６の実施形態における、光中継装置３の構成例を示す図である。
【図１６】本発明の第６の実施形態における、光中継装置３の動作例を示すフローチャートである。
【図１７】本発明の第６の実施形態における、光中継装置３の他の構成例を示す図である。
【図１８】本発明の第７の実施形態における、光通信システムの構成例を示す図である。
【図１９】本発明の第７の実施形態における、光中継装置３の構成例を示す図である。
【図２０】本発明の第８の実施形態における、光送信装置１の構成例を示す図である。
【図２１】本発明の第８の実施形態における、光中継装置３の構成例を示す図である。
【図２２】本発明の第９の実施形態における、光通信システムの構成例を示す図である。
【発明を実施するための形態】
【００１６】
＜第１の実施形態＞
本発明の第１の実施形態の概要について、図面を参照して説明する。なお、この概要に付記した図面参照符号は、理解を助けるための一例として各要素に便宜上付記したものであり、この概要の記載はなんらの限定を意図するものではない。
【００１７】
図１は、本発明の第１の実施形態における光通信システムの構成例である。図１に示すように、光通信システムは、波長多重光信号を送信する光送信装置１と、当該波長多重光信号を伝送する伝送路２と、当該波長多重光信号を合波及び分岐する光中継装置３とを含む。また、光通信システムは、波長多重光信号を受信する光受信装置４と、当該波長多重光信号を送受信する光送受信装置５とを含む。
【００１８】
図２は、光送信装置１の構成例を示す図である。光送信装置１は、複数の送信部１１−１乃至１１−Ｎ（特に区別する必要が無い場合、「送信部１１」と記載する）と、処理部１２と、制御部１３とを備える。
【００１９】
複数の送信部１１−１〜１１−Ｎの各々は、互いに、異なる波長の光信号を送信する。送信部１１が送信する光信号は、例えば位相変調により、情報（データ）を含めることができる。複数の送信部１１−１〜１１−Ｎが出力する複数の光信号のうちの少なくとも１つがデータ用の光信号として用いられる。
【００２０】
データ用の光信号として用いられる波長は、顧客のニーズや障害の発生などに応じて変更される。複数の顧客が存在する場合、当該複数の顧客の各々に対して少なくとも１つの波長が、情報（データ）を伝送するための光信号の波長として割り当てられている。この場合において、第１の顧客に割り当てられた波長は、当該第１の顧客のニーズに応じて、他の波長（例えば、使用されていない波長）へと変更することができる。また、第１の顧客に割り当てられた波長と、第２の顧客に割り当てられた波長とを入れ替えることもできる。また、第１の顧客に割り当てられた波長は、当該波長を出力している送信部１１に障害が発生したことに応じて、他の波長（障害が発生していない他の送信部１１が送信する波長）へと変更することができる。
【００２１】
処理部１２は、制御部１３からの指示に応じて、複数の送信部１１から出力される複数の光信号のうち所定の波長の光信号を選択し、制御情報のビットパターンに対応するように、当該選択した光信号を強度変調する。なお、制御情報は、伝送ネットワーク上の他の装置を制御するための信号であり、例えば光中継装置３や光受信装置４に対して、光信号のチャネルの変更を指示する信号である。そして、処理部１２は、当該選択した光信号を強度変調した後に、当該複数の光信号を合波して波長多重光信号として出力する。
【００２２】
処理部１２は、例えば、特許第４７４８５１４号公報に記載の波長選択スイッチを用いることができる。当該波長選択スイッチは、入力された複数の光波から、所望の波長の光波をドロップすることができる。また、当該波長選択スイッチは、入力された複数の光波に対して、所望の波長の光波をアドすることができ、入力された複数の光波とアドした光波とを合波して、波長多重光信号として出力することができる。また、当該波長選択スイッチは、基板上に形成された光導波回路と当該光導波回路に熱変動を加えて光進行経路の切り替え制御を行う制御手段を有し、ドロップする光波の波長やアドする光波の波長を的確に制御することができる。
【００２３】
当該波長選択スイッチが、複数の送信部１１が出力する複数の光信号のうち所定の波長の光信号を選択し、制御情報のビットパターンに従ってドロップする（又はドロップしない）ことにより、当該所定の波長の光信号を制御信号光として用いることができる。当該波長選択スイッチは、複数の送信部１１が出力する複数の光信号のうち所定の波長の光信号を、制御情報のビットが「０」の場合（制御情報のビットが「０」の間）はドロップし、当該ビットが「１」の場合（制御情報のビットが「１」の間）はドロップしない。すなわち、制御情報のビットが「１」の場合だけ、当該所定の波長の光信号が存在することになる。したがって、当該波長多重光信号を受信する装置は、当該波長多重光信号に含まれる所定の波長を検出することにより、制御情報のビットパターンを復号することができる。
【００２４】
制御部１３は、当該処理部１２が所定の波長の光信号に対して強度変調をかけるように制御する。具体的には、制御部１３は、処理部１２に対して、複数の送信部１１が出力する複数の光信号のうち、制御信号光として用いる所定の波長を通知する。そして、制御部１３は、当該波長多重光信号を受信する装置（例えば、光中継装置３）を制御するための制御情報のビットパターンに対応するように、制御信号光として用いる所定の波長の光信号の一部をドロップする旨を、処理部１２に対して指示する。制御部１３は、処理部１２に対して、制御情報のビットパターンが「０」であることに応じて、当該所定の波長の光信号をドロップする旨を指示する。一方、制御情報のビットパターンが「１」の場合は、制御部１３は、当該所定の波長の光信号をドロップする旨は指示しない。
【００２５】
ここで、制御信号光として用いる所定の波長の光信号は、送信部１１が出力する光信号のうち、データ用の光信号として用いていない光信号である。制御部１３は、外部の制御装置（図示していない）からの制御信号に基づいて、制御信号光用の波長を決定する。当該外部の制御装置は、例えば、データ用の光信号として用いられている波長を制御部１３に通知する。制御部１３は、当該通知に基づいて、データ用として用いていない波長のうちの少なくとも１つを、制御信号光用の波長として決定する。
【００２６】
上記の通り、処理部１２は、波長多重光信号から任意の波長を選択できる機能を有するので、当該制御信号光用の波長が変化しても、当該変化に応じて制御信号光として用いる波長を変更できる。したがって、第１の実施形態における光送信装置１は、データ用の光信号の波長が顧客のニーズや障害の発生などのネットワークの状況に応じて変更され、それに伴って制御信号光の波長を変更する必要が生じたとしても、当該変更に柔軟に対応することができる。
【００２７】
図３は、本発明の第１の実施形態における、光送信装置１の動作例を示すフローチャートである。図３において、複数の送信部１１−１〜１１−Ｎの各々は、互いに異なる波長の光信号を送信する（Ｓ１０１）。
【００２８】
制御部１３は、処理部１２に対して、制御信号光として用いる所定の波長を指定するとともに、制御情報のビットパターンに対応するように、当該所定の波長の光信号に対して強度変調をかけるように制御する（Ｓ１０２）。具体的には、制御部１３は、処理部１２に対して、制御情報のビットパターンが「０」であることに応じて、当該所定の波長の光信号をドロップする旨を指示する。
【００２９】
処理部１２は、制御部１３からの指示に応じて、複数の送信部１１から出力される複数の光信号のうち所定の波長の光信号を選択し、制御情報のビットパターンに対応するように、当該選択した光信号を強度変調する（Ｓ１０３）。
【００３０】
処理部１２は、当該選択した光信号を強度変調した後に、当該複数の光信号を合波して波長多重光信号として出力する（Ｓ１０４）。
【００３１】
上記の通り、光送信装置１は、処理部１２を用いることにより、複数の送信部１１から出力される複数の光信号のうち所定の波長を選択して、制御情報のビットパターンに対応するようにドロップする（又はドロップしない）。したがって、当該光送信装置１は、データ用の光信号の波長が顧客のニーズや障害の発生などのネットワークの状況に応じて変更され、それに伴って制御信号光の波長を変更する必要が生じたとしても、当該変更に柔軟に対応できる。
【００３２】
＜第２の実施形態＞
第２の実施形態の概要について、図面を参照して説明する。第２の実施形態における光通信システムの構成例は、図１と同様である。図４は、光中継装置３の構成例を示す図である。光中継装置３は、光受信部３０と、処理部３２と、制御部３３とを備える。
【００３３】
光受信部３０は、光送信装置１から送信された波長多重光信号を、伝送路２を介して受信し、それを処理部３２へ出力する。なお、光受信部３０は光分岐部であってもよい。この場合において、光分岐部は、伝送路２から入力された波長多重光信号を分岐し、一方の波長多重光信号を処理部３２に出力し、他方の波長多重信号を他の外部装置（例えば、光送受信装置５）に出力する。他方の波長多重光信号は、光中継装置３に含まれる他のデバイス（図示していない）において所定の処理を施された後、光送受信装置５に出力される。なお、他方の波長多重光信号は、所定の処理を施す必要がない場合は、そのまま他の光送受信装置５に出力される。
【００３４】
処理部３２は、制御部３３からの指示に応じて、波長多重光信号に含まれる所定の波長の光信号を選択し、通知情報のビットパターンに対応するように、当該選択した光信号の光パワーをフィルタする。処理部３２は、通知情報のビットパターンに従って強度変調した当該所定の波長の光信号を含む波長多重光信号を、伝送路２に出力する。
【００３５】
上記の処理部３２は、波長多重光信号に含まれる所定の波長の光パワーをフィルタして出力する機能を有する。処理部３２は、波長多重光信号に含まれる所定の波長の光信号を、通知情報のビットパターンに従ってドロップする（又はドロップしない）ことにより、当該所定の波長の光信号を制御信号光として用いる。具体的には、処理部３２は、所定の波長の光信号について、通知情報のビットが「０」の場合（通知情報のビットが「０」の間）はドロップし、当該ビットが「１」の場合（通知情報のビットが「１」の間）はドロップしない。なお、光中継装置３が送信する制御信号光は、自装置の状態（例えば、故障状況など）を、光受信装置４に通知するための信号である。
【００３６】
第１の実施形態と同様、処理部３２は、例えば、特許第４７４８５１４号公報に記載の波長選択スイッチを用いることができる。当該波長選択スイッチは、入力された波長多重光信号を互いに異なる波長の複数の光波に分波し、当該分波した複数の光波のうち所望の波長の光波をドロップすることができる。また、当該波長選択スイッチは、当該分波した複数の光波に対して、所望の波長の光波をアドすることができ、当該分波した複数の光波と当該アドした光波とを合波して、波長多重光信号として出力することができる。処理部３２は、通知情報のビットパターンに従って一部分をドロップした所定の波長の光信号を含む波長多重光信号を、伝送路２を介して自装置の状態を通知する装置（例えば、光受信装置４）に送信する。
【００３７】
制御部３３は、自装置の状況（例えば、故障状況など）を通知するための通知情報を生成する。制御部３３は、当該通知情報を生成するために、光中継装置３に含まれるデバイスから、故障状況等を収集する。
【００３８】
また、制御部３３は、光受信部３０において受信される波長多重光信号のうち所定の波長の光信号に対して強度変調をかけるように、処理部３２を制御する。具体的には、制御部３３は、波長多重光信号に含まれる複数の波長のうち、制御信号光として用いる所定の波長を決定する。そして、制御部３３は、生成した通知情報のビットパターンに対応するように、当該所定の波長の光信号の一部をドロップする旨を、処理部３２に対して指示する。制御部３３は、処理部３２に対して、通知情報のビットパターンが「０」であることに応じて、当該所定の波長の光信号をドロップする旨を指示する。なお、通知情報のビットパターンが「１」の場合は、制御部３３は、当該所定の波長の光信号をドロップする旨は指示しない。
【００３９】
ここで、第１の実施形態の制御情報と同様に、通知情報として用いる所定の波長の光信号は、データ用の光信号として用いていない光信号である。制御部３３は、外部の制御装置（図示していない）からの制御信号に基づいて、制御信号光用の波長を決定する。当該制御信号は、データ用の光信号として用いていない光信号のうちの少なくとも１つを、制御部３３に通知するための信号である。
【００４０】
図５は、第２の実施形態における光中継装置３の動作例を示すフローチャートである。図５において、光受信部３０が、伝送路２から入力した波長多重光信号を受信する（Ｓ２０１）。
【００４１】
制御部３３は、処理部３２に対して、制御信号光として用いる所定の波長を指定するとともに、通知情報のビットパターンに対応するように、当該指定した所定の波長の光信号に対して強度変調をかけるように指示する（Ｓ２０２）。具体的には、制御部３３は、処理部３２に対して、通知情報のビットパターンが「０」であることに応じて、当該所定の波長の光信号をドロップする旨を指示する。
【００４２】
処理部３２は、制御部３３からの指示に応じて、波長多重光信号に含まれる所定の波長の光信号を選択し、通知情報のビットパターンに対応するように、当該選択した光信号の光パワーをフィルタする（Ｓ２０３）。
【００４３】
処理部３２は、通知情報のビットパターンに従って、強度変調した当該所定の波長の光信号を含む波長多重光信号を、伝送路２に出力する（Ｓ２０４）。
【００４４】
上記の通り、光中継装置３は、処理部３２を用いて、波長多重光信号から選択した波長の光信号を、通知情報のビットパターンに基づきフィルタすることにより、当該通知情報に対応した光信号（制御信号光）を波長多重光信号に含める。したがって、当該光中継装置３は、制御信号光用の光源を備えることなく、当該制御信号光を出力することができる。
【００４５】
また、光中継装置３の処理部３２は、波長多重光信号から所定の波長を選択して上記処理を実行できるので、顧客のニーズや障害の発生などネットワークの環境に応じて制御信号光の波長を変更する必要が生じたとしても、当該変更に柔軟に対応できる。
【００４６】
＜第３の実施形態＞
第３の実施形態の概要について、図面を参照して説明する。なお、第３の実施形態において、第１の実施形態及び第２の実施形態と同様の構成については、説明を省略する。
【００４７】
第３の実施形態における光通信システムの構成例は、図１と同様である。図６は、光送信装置１の構成例を示す図である。光送信装置１は、複数の送信部１１−１乃至１１−Ｎと、処理部１２と、制御部１３と、光出力部１４とを備える。
【００４８】
光出力部１４は、処理部１２から出力される波長多重光信号の強度を一定にする目的で、当該波長多重光信号の強度の変化を補償するためのダミー光を出力する。光出力部１４は、制御部１３からの要求に応じて、所定の強度のダミー光を出力する。光出力部１４は、例えば、ＡＳＥ（Ａｍｐｌｉｆｉｅｄ  Ｓｐｏｎｔａｎｅｏｕｓ  Ｅｍｉｓｓｉｏｎ）光源を適用することができる。
【００４９】
光出力部１４が出力するダミー光の波長は、送信部１１−１〜１１−Ｎが出力する複数の光信号の波長以外の波長である。すなわち、光出力部１４は、データ用の光信号の波長帯とは異なる波長帯のダミー光を出力する。
【００５０】
制御部１３は、処理部１２に対して、制御情報のビットが「０」であることに応じて、当該所定の波長の光信号をドロップする旨を指示する。この場合において、制御部１３は、ドロップした所定の波長の光信号を補償するように、光出力部１４にダミー光を出力する旨を要求する。具体的には、制御部１３は、当該所定の波長の光信号をドロップした場合に、光出力部１４に対して、ドロップした当該所定の波長の光信号の強度と同じ強度のダミー光を出力する旨を要求する。
【００５１】
なお、光出力部１４が、処理部１２から出力される波長多重光信号の強度をモニタして、当該波長多重光信号の強度が一定になるように、出力するダミー光の強度を調整してもよい。
【００５２】
処理部１２は、複数の送信部１１が出力する複数の光信号に所望の波長の光波をアドすることができるので、当該複数の光信号に光出力部１４から入力したダミー光をアドする。
【００５３】
図７は、光送信装置１から出力された波長多重光信号を受信する、光中継装置３の構成例である。図７に示すように、光中継装置３は、光分岐部３１と、制御部３３と、フィルタ部３４とを含む。なお、図７は、光中継装置３において、波長多重光信号に含まれる制御信号光を抽出（検出）するための機能を提供する構成例を示すものであり、他の構成が含まれることを除外するものではない。
【００５４】
光分岐部３１は、入力される波長多重光信号を分岐し、一方の波長多重光信号をフィルタ部３４へ、他方の波長多重光信号を他の外部装置（例えば、光受信装置４）に出力する。
【００５５】
フィルタ部３４は、波長多重光信号に含まれる複数の光信号のうち、制御信号光用の波長の光信号だけを透過して制御部３３に出力し、他の波長の光信号を破棄する。フィルタ部３４は、制御信号光の波長を指定する制御信号を受信し、当該受信した制御信号が指定する波長の光信号（すなわち、制御信号光）だけを透過する。
【００５６】
制御部３３は、フィルタ部３４から入力された制御信号光に基づいて、制御情報のビットパターンを復号し、当該制御情報に基づいて光中継装置３内のデバイス（例えば、光スイッチ、光リレーなど）を制御する。制御部３３は、例えば、制御情報に基づいて、光スイッチや光リレーに対して光路の変更を要求する。
【００５７】
図８は、光送信装置１から出力された波長多重光信号を受信する、光中継装置３の動作例を示すフローチャートである。図８において、光分岐部３１は、入力される波長多重光信号を分岐し、一方の波長多重光信号をフィルタ部３４へ、他方の波長多重光信号を他の外部装置（例えば、光受信装置４）に出力する（Ｓ３０１）。
【００５８】
フィルタ部３４は、波長多重光信号に含まれる複数の光信号のうち、制御信号光用の波長の光信号だけを透過して制御部３３に出力し、他の波長の光信号を破棄する（Ｓ３０２）。
【００５９】
制御部３３は、フィルタ部３４から入力した制御信号光に基づいて、制御情報のビットパターンを復号し、当該制御情報に基づいて光中継装置３内のデバイスを制御する（Ｓ３０３）。
【００６０】
図９は、光送信装置１から出力された波長多重光信号を光中継装置３を介して受信する、光受信装置４の構成例を示す図である。図９に示すように、光受信装置４は、光分岐部４１と、光分波部４２と、受信部４３−１〜４３−Ｎと、フィルタ部４４と、制御部４５とを含む。
【００６１】
光分岐部４１は、入力された波長多重光信号を分岐し、一方の波長多重光信号を光分波部４２に出力し、他方の波長多重光信号をフィルタ部４４に出力する。
【００６２】
光分波部４２は、入力された波長多重光信号を分波し、分波した複数の光信号を、制御部４５からの要求に応じて、受信部４３−１〜４３−Ｎの各々に割り当てられた波長に基づいて受信部４３−１〜４３−Ｎの各々に出力する。
【００６３】
受信部４３−１〜４３−Ｎの各々は、割り当てられた波長の光信号を受信する。
【００６４】
フィルタ部４４は、入力された波長多重光信号に含まれる複数の光信号のうち、制御信号光用の波長の光信号だけを透過して制御部４５に出力し、他の波長の光信号を破棄する。フィルタ部４４は、制御信号光の波長を指定する制御信号を例えば外部の制御装置から受信し、当該受信した制御信号が指定する波長の光信号（すなわち、制御信号光）だけを透過する。
【００６５】
制御部４５は、フィルタ部４４から入力された制御信号光に基づいて、制御情報のビットパターンを復号し、当該制御情報に基づいて、光受信装置４内のデバイスを制御する。制御部４５は、例えば光分波部４２に対して、制御情報に基づいてチャネルの変更（複数の受信部４３の各々に割り当てられた波長の変更）を要求する。
【００６６】
図１０は、光送信装置１から出力された波長多重光信号を光中継装置３を介して受信する、光受信装置４の動作例を示すフローチャートである。なお、図１０は、制御部４５が光分波部４２に対してチャネルの変更（複数の受信部４３の各々に割り当てられた波長の変更）を要求する場合の動作例である。
【００６７】
光分岐部４１は、入力された波長多重光信号を分岐し、一方の波長多重光信号を光分波部４２に出力し、他方の波長多重光信号をフィルタ部４４に出力する（Ｓ４０１）。
【００６８】
フィルタ部４４は、入力された波長多重光信号に含まれる複数の光信号のうち、制御信号光用の波長の光信号だけを透過して制御部４５に出力し、他の波長の光信号を破棄する（Ｓ４０２）。
【００６９】
制御部４５は、フィルタ部４４から入力された制御信号光に基づいて、制御情報のビットパターンを復号する（Ｓ４０３）。制御部４５は、光分波部４２に対して、復号した制御情報に基づいてチャネルの変更（複数の受信部４３の各々に割り当てられた波長の変更）を要求する（Ｓ４０４）。
【００７０】
光分波部４２は、入力された波長多重光信号を分波し、制御部４５からの要求に応じて変更された割り当てに基づいて、分波した各光信号を複数の受信部４３の各々に出力する（Ｓ４０５）。
【００７１】
受信部４３−１〜４３−Ｎの各々は、割り当てられた波長の光信号を受信する（Ｓ４０６）。
【００７２】
図１１は、光送信装置１から出力された波長多重光信号を受信する、光中継装置３の他の構成例を示す図である。光中継装置３は、光分岐部３１と、制御部３３と、受信部３５と、局発光出力部３６とを含む。
【００７３】
受信部３５は、入力された波長多重光信号と、局発光出力部３６から入力された所定の波長の局発光とを干渉させ、波長多重光信号から所定の波長を選択的に受信する。受信部３５は、選択的に受信された所定の波長の光信号を、制御部３３に出力する。
【００７４】
受信部３５は、例えば、コヒーレント検波を行うコヒーレント検波部である。コヒーレント検波部は、光分岐部３１から入力された波長多重信号と、局発光出力部３６から入力された所定の波長の局発光とが干渉した信号を、制御部３３に出力する。コヒーレント検波部は、コヒーレントミキサーと呼ばれる９０度ハイブリッドミキサー（図示していない）を備える。当該コヒーレントミキサーは、光分岐部３１から入力された波長多重信号と、局発光出力部３６から入力された所定の波長の局発光とが干渉した信号（干渉信号）を出力する。
【００７５】
局発光出力部３６は、受信した制御信号に基づいて、所定の波長の局発光を出力する。当該制御信号は、局発光出力部３６が出力する局発光の波長を指定する信号であり、指定する波長は制御信号光用の波長である。当該制御信号は、例えば、光送信装置１や外部の制御装置（図示していない）から通知される。なお、制御信号は、例えば伝送路２とは異なる回線により提供される通信路（アウトバウンド通信路）を用いて、光中継装置３へ通知されることができる。
【００７６】
また、制御信号は、制御信号光に含まれていてもよい。この場合において、制御信号は、所定の時間経過後における局発光の波長を指定する信号となる。例えば、所定の時間経過後に制御信号光の波長を変更することが予定されている場合、光送信装置１は、当該所定の時間経過後に局発光の波長を変更させるべく、予め制御信号を制御信号光に含めて光中継装置３へ送信しておく。光中継装置３は、制御信号によって指定された所定の時間経過後に、局発光の波長を当該制御信号によって指定された波長へ変更する。このようにして、制御信号光に制御信号が含まれていた場合でも、制御信号が所定の時間経過後における波長を指定することによって、当該制御信号光の波長の変更に対応することができる。
【００７７】
上述したように、受信部３５は、入力された波長多重光信号と所定の波長の局発光とを干渉させ、波長多重光信号から所定の波長を選択的に受信する。そのため、局発光出力部３６が出力する局発光を制御信号光用の波長とすることにより、受信部３５は、当該波長多重光信号に含まれる複数の光信号から制御信号光だけを選択的に受信し、当該制御信号光を制御部３３に出力することができる。
【００７８】
また、図１２は、光送信装置１から出力された波長多重光信号を光中継装置３を介して受信する、光受信装置４の他の構成例である。光受信装置４は、光分岐部４１と、光分波部４２と、受信部４３−１〜４３−Ｎと、制御部４５と、受信部４６と、局発光出力部４７とを備える。
【００７９】
受信部４６は、入力された波長多重光信号と、局発光出力部４７から入力された所定の波長の局発光とを干渉させ、波長多重光信号から所定の波長を選択的に受信する。受信部４６は、選択的に受信した所定の波長の光信号を、制御部４５に出力する。なお、受信部４６は、上述した光中継装置３の受信部３５と同様に、例えばコヒーレント検波を行うコヒーレント検波部である。コヒーレント検波部は、光分岐部４１から入力された波長多重信号と、局発光出力部４７から入力された所定の波長の局発光とが干渉した信号を、制御部４５に出力する。
【００８０】
局発光出力部４７は、受信した制御信号に基づいて、所定の波長の局発光を出力する。当該制御信号は、局発光出力部４７が出力する所定の波長の局発光を指定する信号であり、当該所定の波長は制御信号光用の波長である。当該制御信号は、例えば、光送信装置１や外部の制御装置（図示していない）から通知される。なお、制御信号は、例えば伝送路２とは異なる回線により提供される通信路（アウトバウンド通信路）を用いて、光受信装置４へ通知されることができる。
【００８１】
上述したように、受信部４６は、入力された波長多重光信号と所定の波長の局発光とを干渉させ、波長多重光信号から所定の波長を選択的に受信する。そのため、局発光出力部４７が出力する局発光を制御信号光用の波長とすることにより、受信部４６は、当該波長多重光信号に含まれる複数の光信号から制御信号光だけを受信し、制御信号光を制御部４５に出力することができる。
【００８２】
＜第４の実施形態＞
第４の実施形態の概要について、図面を参照して説明する。なお、第４の実施形態において、第１乃至第３の実施形態と同様の構成については、説明を省略する。
【００８３】
第４の実施形態は、光中継装置３が処理部３２を用いてドロップした波長の光信号をダミー光で補償する光出力部を備え、当該光中継装置３から出力される波長多重光信号の強度を一定に保つものである。
【００８４】
図１３は、光中継装置３の構成例を示す図である。光中継装置３は、光受信部３０と、処理部３２と、制御部３３と、光出力部３９とを備える。
【００８５】
光出力部３９は、例えば、ＡＳＥ光源である。光出力部３９は、処理部３２から出力される波長多重光信号の強度を一定にする目的で、当該波長多重光信号の強度の変化を補償するためのダミー光を出力する。光出力部３９は、制御部３３からの要求に応じて、所定の強度のダミー光を出力する。
【００８６】
光出力部３９が出力するダミー光の波長は、波長多重光信号において、データが重畳されている複数の光信号の波長以外の波長である。すなわち、光出力部３９は、データ用の光信号の波長帯とは異なる波長帯のダミー光を出力する。
【００８７】
制御部３３は、処理部３２に対して、通知情報のビットが「０」であることに応じて、所定の波長の光信号をドロップする旨を指示する。この場合において、制御部３３は、ドロップした所定の波長の光信号を補償するように、光出力部３９にダミー光を出力する旨を要求する。具体的には、制御部３３は、所定の波長の光信号をドロップした場合に、光出力部３９に対して、ドロップした所定の波長の光信号の強度と同じ強度のダミー光を出力する旨を要求する。
【００８８】
なお、光出力部３９が、処理部３２から出力される波長多重光信号の強度をモニタして、当該波長多重光信号の強度が一定になるように、出力するダミー光の強度を調整してもよい。
【００８９】
処理部３２は、制御部３３からの指示に応じて、入力された波長多重光信号から所定の波長の光信号をドロップし、当該ドロップした波長多重光信号に光出力部３９から入力したダミー光をアドする。
【００９０】
上記の通り、光中継装置３は光出力部３９を備え、処理部３２を用いてドロップした波長の光信号をダミー光で補償することにより、光中継装置３から出力される波長多重光信号の強度を一定に保つことができる。
【００９１】
＜第５の実施形態＞
第５の実施形態の概要について、図面を参照して説明する。なお、第５の実施形態において、第１乃至第４の実施形態と同様の構成については、説明を省略する。
【００９２】
第５の実施形態は、光中継装置３が、２つの異なる光受信装置（例えば、図１における光受信装置４及び光送受信装置５）に対して、自装置の状態を通知するための制御信号光を送信するものである。
【００９３】
図１４は、光中継装置３の構成例を示す図である。第５の実施形態における光中継装置３は、光受信部３０と、光分岐部３１と、第１の処理部３２−１と、第２の処理部３２−２と、制御部３３とを備える。
【００９４】
光分岐部３１は、光受信部３０から入力された波長多重光信号を分岐し、第１の処理部３２−１と第２の処理部３２−２とに出力する。
【００９５】
第１の処理部３２−１は、第１の光受信装置宛の波長多重光信号について、当該波長多重光信号に含まれる第１の所定の波長の光信号の一部分を、通知情報のビットパターンに応じてフィルタ（ドロップ）して、第１の光受信装置に出力する。なお、第１の所定の波長は、光中継装置３と第１の光受信装置との間において、データ用の光信号の波長として用いていない波長から選択される。
【００９６】
一方、第２の処理部３２−２は、第２の光受信装置宛の波長多重光信号について、当該波長多重光信号に含まれる第２の所定の波長の光信号の一部分を、通知情報のビットパターンに従ってフィルタ（ドロップ）して、第２の光受信装置に出力する。なお、第２の所定の波長は、光中継装置３と第２の光受信装置との間において、データ用の光信号として用いていない波長から選択される。
【００９７】
制御部３３は、第１の処理部３２−１に対して、制御信号光として用いる第１の所定の波長を指定するとともに、第１の通知情報のビットパターンに対応するように、当該第１の所定の波長の光信号をフィルタする旨を指示する。なお、第１の通知情報は、第１の光受信装置に対して、光中継装置３の状態を通知するための情報である。
【００９８】
一方、制御部３３は、第２の処理部３２−２に対して、制御信号光として用いる第２の所定の波長を指定するとともに、第２の通知情報のビットパターンに対応するように、当該第２の波長の光信号をフィルタする旨を指示する。なお、第２の通知情報は、第２の光受信装置に対して、光中継装置３の状態を通知するための情報である。
【００９９】
上記の通り、第５の実施形態において、光中継装置３は、２つの処理部３２−１、３２−２を備え、当該２つの処理部３２−１、３２−２がそれぞれ２つの異なる光受信装置（例えば、図１における光受信装置４及び光送受信装置５）に対して、制御信号光を含む波長多重光信号を送信する。したがって、当該光中継装置３は、２つの異なる光受信装置に対して、自装置の状態を通知することができる。
【０１００】
なお、光中継装置３が備える処理部３２は、２つに限られず、いくつであってもよい。この場合、光中継装置３は、処理部３２の数に応じた数の光受信装置に対して、制御信号光を含む波長多重光信号を送信でき、自装置の状態を通知することができる。
【０１０１】
＜第６の実施形態＞
第６の実施形態の概要について、図面を参照して説明する。なお、第６の実施形態において、第１乃至第５の各実施形態と同様の構成については、説明を省略する。
【０１０２】
第６の実施形態において、光送信装置１が出力する波長多重光信号には、少なくとも１つの第１の制御信号光が含まれており、光中継装置３が出力する波長多重光信号には、少なくとも１つの第２の制御信号光が含まれている。第１の制御信号光は、光中継装置３に対する制御情報を含む。一方、第２の制御信号光は、光中継装置３が自装置の状態（例えば、故障状況など）を、光受信装置４や光送受信装置５に通知する通知情報を含む。
【０１０３】
第６の実施形態における光通信システムの構成例は、図１と同様である。図１５は、第６の実施形態における、光中継装置３の構成例を示す図である。第６の実施形態における光中継装置３は、第１の光分岐部３１−１と、第２の光分岐部３１−２と、処理部３２と、制御部３３と、フィルタ部３４とを含む。
【０１０４】
第１の光分岐部３１−１は、伝送路２を介して光送信装置１から入力された波長多重光信号を分岐し、一方の波長多重光信号を第２の光分岐部３１−２に出力し、他方の波長多重信号を他の外部装置（例えば、光送受信装置５）に出力する。
【０１０５】
第２の光分岐部３１−２は、入力された波長多重光信号を分岐し、一方の波長多重光信号を処理部３２に出力し、他方の波長多重光信号をフィルタ部３４に出力する。
【０１０６】
フィルタ部３４は、第１の制御信号光の波長を指定する制御信号を受信する。フィルタ部３４は、入力された波長多重光信号に含まれる複数の光信号のうち、当該受信した制御信号が指定する波長の光信号（すなわち、第１の制御信号光）だけを透過して制御部３３に出力する。
【０１０７】
制御部３３は、自装置の状況（例えば、故障状況など）を通知するための通知情報を生成する。制御部３３は、通知情報を生成するために、光中継装置３に含まれるデバイスから、故障状況等を収集する。光中継装置３が自装置の状況を通知するための第２の制御信号光の波長は、フィルタ部３４から入力された第１の制御信号光によって光送信装置１から通知される。したがって、制御部３３は、第１の制御信号光に基づいて、第２の制御信号光の波長を決定する。
【０１０８】
制御部３３は、生成した通知情報のビットパターンに対応するように、所定の波長である第２の制御信号光の一部分の光パワーをフィルタする旨を、処理部３２に対して指示する。なお、第１乃至第３の各実施形態と同様に、第２の制御信号光として用いる所定の波長の光信号は、データ用の光信号として用いていない光信号である。
【０１０９】
処理部３２は、制御部３３からの指示に応じて、第２の光分岐部３１−２から入力された波長多重光信号のうち、所定の波長の光信号を選択し、通知情報のビットパターンに対応するように、当該選択した光信号の光パワーをフィルタする。具体的には、処理部３２は、当該選択した光信号の出力をＯＮ／ＯＦＦ（ドロップしない／ドロップする）する。そして、処理部３２は、通知情報のビットパターンに対応するようにドロップした（又はドロップしなかった）所定の波長の光信号（すなわち、第２の制御信号光）を含む波長多重光信号を、伝送路２に出力する。
【０１１０】
図１６は、本発明の第６の実施形態における、光中継装置３の動作例を示すフローチャートである。図１６において、第１の光分岐部３１−１は、伝送路２から入力された波長多重光信号を分岐し、一方の波長多重光信号を第２の光分岐部３１−２に出力し、他方の波長多重信号を他の外部装置（例えば、光送受信装置５）に出力する（Ｓ５０１）。
【０１１１】
第２の光分岐部３１−２は、入力された波長多重光信号を分岐し、一方の波長多重光信号を処理部３２に出力し、他方の波長多重光信号をフィルタ部３４に出力する（Ｓ５０２）。
【０１１２】
フィルタ部３４は、第１の制御信号光の波長を指定する制御信号を受信する。そして、フィルタ部３４は、波長多重光信号に含まれる複数の光信号のうち、当該受信した制御信号が指定する波長の光信号（すなわち、第１の制御信号光）だけを透過して制御部３３に出力する（Ｓ５０３）。
【０１１３】
制御部３３は、入力された第１の制御信号光のビットパターンを復号し、復号した制御情報に基づいて、波長多重光信号に含まれる複数の光信号の波長のうち、第２の制御信号光として用いる所定の波長を決定する（Ｓ５０４）。
【０１１４】
制御部３３は、自装置の状況（例えば、故障状況など）を通知するための通知情報を生成し、生成した通知情報のビットパターンに対応するように、決定した所定の波長の光パワーをフィルタする旨を、処理部３２に対して指示する（Ｓ５０５）。
【０１１５】
処理部３２は、通知情報のビットパターンに従って一部分をフィルタした（ドロップした）所定の波長の光信号（第２の制御信号光）を含む波長多重光信号を、伝送路２に出力する（Ｓ５０６）。
【０１１６】
図１７は、第６の実施形態における、光中継装置３の他の構成例を示す図である。図１７に示すように、光中継装置３は、第１の光分岐部３１−１と、第２の光分岐部３１−２と、処理部３２と、制御部３３と、受信部３５と、局発光出力部３６とを含む。
【０１１７】
受信部３５は、入力された波長多重光信号と、局発光出力部３６から入力された所定の波長の局発光とを干渉させ、波長多重光信号から所定の波長を選択的に受信する。受信部３５は、選択的に受信した所定の波長の光信号を、制御部３３に出力する。そのため、局発光出力部３６が出力する局発光を第１の制御信号光の波長とすることにより、受信部３５は、当該波長多重光信号に含まれる複数の光信号から制御情報を含む第１の制御信号光だけを受信し、当該第１の制御信号光を制御部３３に出力することができる。
【０１１８】
上記の通り、第６の実施形態における光中継装置３は、光送信装置１からの第１の制御信号光に含まれている制御情報により指定された波長を、通知情報を含む第２の制御信号光の波長とする。したがって、第６の実施形態の光通信システムは、光中継装置３が出力する第２の制御信号光を、光送信装置１が指定することができる。
【０１１９】
＜第７の実施形態＞
第７の実施形態の概要について、図面を参照して説明する。なお、第７の実施形態において、第１乃至第６の各実施形態と同様の構成については、説明を省略する。
【０１２０】
図１８は、第７の実施形態における光通信システムの構成例を示す図である。第７の実施形態における光通信システムにおいて、光送信装置１が出力する第１の波長多重光信号には、第１の制御信号光が含まれる。第１の制御信号光は、光送信装置１が光中継装置３の制御を行うための第１の制御情報を含む光信号である。
【０１２１】
また、光中継装置３が出力する第２の波長多重光信号には、第２の制御信号光が含まれる。第２の制御信号光は、光中継装置３が自装置の状況（例えば、故障状況など）を通知するための通知情報を含む光信号である。
【０１２２】
さらに、光送受信装置５が出力する第３の波長多重光信号には、第３の制御信号光が含まれる。第３の制御信号光は、光送受信装置５が光中継装置３の制御を行うための第２の制御情報を含む光信号である。
【０１２３】
図１９は、第７の実施形態における、光中継装置３の構成例を示す図である。光中継装置３は、第１の光分岐部３１−１と、第２の光分岐部３１−２と、第３の光分岐部３１−３と、処理部３２と、制御部３３と、第１乃至第４のフィルタ部３４−１〜３４−４とを含む。
【０１２４】
第２の光分岐部３１−２は、第１の光分岐部３１−１から入力された第１の波長多重光信号を分岐し、一方の第１の波長多重光信号を第１のフィルタ部３４−１に、他方の第１の波長多重光信号を第３のフィルタ部３４−３に出力する。
【０１２５】
第１のフィルタ部３４−１は、制御信号に応じて、光送信装置１が出力した第１の波長多重光信号に含まれる第１の制御信号光だけを透過し、制御部３３に出力する。
【０１２６】
第３のフィルタ部３４−３は、光送信装置１から入力された第１の波長多重光信号に含まれる光信号のうち、光受信装置４宛の光信号だけを透過して処理部３２に出力する。
【０１２７】
第３の光分岐部３１−３は、光送受信装置５から入力された第３の波長多重光信号を分岐し、一方の第３の波長多重光信号を第２のフィルタ部３４−２に、他方の第３の波長多重光信号を第４のフィルタ部３４−４に出力する。
【０１２８】
第２のフィルタ部３４−２は、制御信号に応じて、光送受信装置５から入力された第３の波長多重光信号に含まれる第３の制御信号光だけを透過して制御部３３に出力する。
【０１２９】
第４のフィルタ部３４−４は、光送受信装置５から入力された第３の波長多重光信号に含まれる光信号のうち、光受信装置４宛の光信号だけを透過して処理部３２に出力する。
【０１３０】
制御部３３は、入力された第１の制御信号光から第１の制御情報のビットパターンを復号し、当該復号した第１の制御情報に基づいて、光中継装置３内のデバイスを制御する。同様に、制御部３３は、入力された第３の制御信号光から第２の制御情報のビットパターンを復号し、当該復号した第２の制御情報に基づいて、光中継装置３内のデバイスを制御する。
【０１３１】
また、制御部３３は、自装置の状況（例えば、故障状況など）を通知するための通知情報を生成する。制御部３３は、通知情報を生成するために、光中継装置３に含まれるデバイスから、故障状況等を収集する。
【０１３２】
ここで、第７の実施形態では、光中継装置３が自装置の状況を通知するための第２の制御信号光の波長は、第１の制御信号光によって光送信装置１から通知される。したがって、制御部３３は、第１の制御信号光から復号した第１の制御情報に基づいて、第２の制御信号光の波長を決定する。なお、第２の制御信号光の波長は、光送受信装置５から通知されてもよい。この場合において、制御部３３は、光送受信装置５から受信する第３の波長多重光信号に含まれる第３の制御信号光から復号した第２の制御情報に基づいて、第２の制御信号光の波長を決定する。
【０１３３】
制御部３３は、第１の制御信号光から復号された第１の制御情報に基づいて、第２の制御信号光の波長を決定する。そして、制御部３３は、生成した通知情報のビットパターンに対応するように、決定した所定の波長の光信号の一部分をドロップする旨を、処理部３２に対して指示する。なお、第１乃至第３の各実施形態と同様に、第２の制御信号光として用いる所定の波長の光信号は、データ用の光信号として用いていない光信号である。
【０１３４】
処理部３２は、第３のフィルタ部３４−３から入力された波長多重光信号と、第４のフィルタ部３４−４から入力された波長多重光信号と、制御部３３からの指示に応じて、一部分が通知情報のビットパターンに基づいてドロップされた所定の波長の第２の制御信号光と、を合波して伝送路２に出力する。
【０１３５】
上記のとおり、光中継装置３は、光送信装置１からの第１の制御信号光から復号した第１の制御情報だけでなく、光送受信装置５からの第３の制御信号光から復号した第２の制御情報に基づいて、光中継装置３内のデバイスを制御する。したがって、第７の実施形態における光通信システムは、光送信装置１だけでなく光送受信装置５からも、光中継装置３内のデバイスを制御することができる。
【０１３６】
＜第８の実施形態＞
第８の実施形態の概要について、図面を参照して説明する。なお、第８の実施形態において、第１乃至第７の各実施形態と同様の構成については、説明を省略する。
【０１３７】
第８の実施形態における光通信システムの構成例は、図１と同様である。図２０は、第８の実施形態における、光送信装置１の構成例を示す図である。光送信装置１は、複数の送信部１１−１乃至１１−Ｎと、光合波部１７と、処理部１２と、制御部１３と、光出力部１４とを備える。また、光送信装置１は、可変光減衰器（Ｖａｒｉａｂｌｅ  Ｏｐｔｉｃａｌ  Ａｔｔｅｎｕａｔｏｒ：ＶＯＡ）１５と、光分波部１６とを備える。
【０１３８】
ＶＯＡ１５は、入力される所定の波長の光信号の強度を、制御部１３からの要求に応じて変更する。ＶＯＡ１５としては、特許第５０６５３３３号公報に記載の可変光減衰器を用いることができる。当該可変光減衰器は、光ファイバ中を伝搬する信号光の強度を任意の光強度に減衰させることができる。可変光減衰器は、出力する光信号の強度を、印加する電圧の大きさにより可変することができる。なお、可変光減衰器は、マイクロ秒単位で、出力する光信号の強度を変化させることができる。
【０１３９】
ＶＯＡ１５は、所定の波長の光信号について、制御情報のビットが「０」の場合（制御情報のビットが「０」の間）は当該所定の波長の光信号の強度を「０」に減衰する。一方、ＶＯＡ１５は、当該ビットが「１」の場合（制御情報のビットが「１」の間）は当該所定の波長の光信号の強度を減衰しない。すなわち、波長多重光信号に含まれる所定の波長の光信号は、制御情報のビットが「０」の場合は所定の波長の光信号が含まれず（強度が「０」）、当該ビットが「１」の場合は当該所定の波長の光信号が含まれることになる。したがって、当該波長多重光信号を受信する装置（例えば、光中継装置３）は、波長多重光信号に含まれる所定の波長を検出することにより、制御情報のビットパターンを復号することができる。
【０１４０】
制御部１３は、光分波部１６に対して、当該波長多重光信号に含まれる複数の波長のうち、制御信号光として用いる所定の波長の光信号を分波して、ＶＯＡ１５に入力することを要求する。
【０１４１】
また、制御部１３は、光中継装置３を制御するための制御情報のビットパターンに対応するように、所定の波長の光信号を減衰する（又は減衰しない）旨を、ＶＯＡ１５に対して指示する。
【０１４２】
さらに、制御部１３は、ＶＯＡ１５に対して制御信号光として用いる所定の波長の光信号を減衰する旨を指示した場合に、当該所定の波長の光信号の減衰を補償する旨を、光出力部１４に要求する。
【０１４３】
光分波部１６は、制御部１３からの要求に応じて、当該制御部１３から指定される所定の波長の光信号を分波し、ＶＯＡ１５に入力する。光分波部１６は、波長多重光信号に含まれるＶＯＡ１５に入力した光信号以外の光信号を、処理部１２に出力する。
【０１４４】
処理部１２は、光分波部１６から入力された光信号に、ＶＯＡ１５から入力された所定の波長の光信号と、光出力部１４から入力されたダミー光とをアドして、伝送路２から出力する。
【０１４５】
上記で説明したＶＯＡ１５は、光中継装置３にも適用することができる。図２１は、第８の実施形態における、光中継装置３の構成例を示す図である。光中継装置３は、第１の光分岐部３１−１と、第２の光分岐部３１−２と、第３の光分岐部３１−３と、処理部３２と、制御部３３と、第１のフィルタ部３４−１と、第２のフィルタ部３４−２と、第４のフィルタ部３４−４とを備える。また、光中継装置３は、光分波部３７と、ＶＯＡ３８とを含む。
【０１４６】
ＶＯＡ３８は、入力される所定の波長の光信号の強度を、制御部３３からの要求に応じて変更する。なお、図２０のＶＯＡ１５と同様に、ＶＯＡ３８としては、特許第５０６５３３３号公報に記載の可変光減衰器を用いることができる。
【０１４７】
制御部３３は、光分波部３７に対して、波長多重光信号に含まれる複数の波長のうち、制御信号光として用いる所定の波長の光信号を分波し、ＶＯＡ３８に出力することを要求する。
【０１４８】
また、制御部３３は、光中継装置３の状態を通知するための通知情報のビットパターンに対応するように、所定の波長の光信号を減衰する（又は減衰しない）旨を、ＶＯＡ３８に対して指示する。
【０１４９】
光分波部３７は、制御部３３からの要求に応じて、当該制御部３３から指定される所定の波長の光信号を分波し、ＶＯＡ３８に出力する。光分波部３７は、波長多重光信号に含まれるＶＯＡ３８に入力した光信号以外の光信号を、処理部３２に出力する。
【０１５０】
処理部３２は、光分波部３７から入力された波長多重光信号と、第４のフィルタ部３４−４から入力された波長多重光信号と、ＶＯＡ３８から入力された所定の波長の光信号とを合波し、伝送路２に出力する。
【０１５１】
上記の通り、第８の実施形態では、出力する光信号の強度が印加する電圧の大きさにより可変であるＶＯＡ１５又はＶＯＡ３８を、光送信装置１又は光中継装置３が備える。ＶＯＡ１５又はＶＯＡ３８は、マイクロ秒単位で、出力する光信号の強度を変化させることができるので、所定の波長の光信号の強度を変化させることが可能となる。したがって、光送信装置１又は光中継装置３は、制御情報又は通知情報のビットパターンが高速に変化した場合であっても、所定の波長の光信号を当該制御情報又は通知情報に対応させることが可能となる。
【０１５２】
＜第９の実施形態＞
第９の実施形態について、図面を参照して説明する。図２２は、第９の実施形態における光通信システムの構成例を示す図である。図２２に示すように、光通信システムは、光送信装置１と、伝送路２と、光中継装置３と、光受信装置４と、光送受信装置５と、ＥＭＳ（Ｅｌｅｍｅｎｔ  Ｍａｎａｇｅｍｅｎｔ  Ｓｙｓｔｅｍ）６とを含む。
【０１５３】
なお、第９の実施形態における光送信装置１の構成例は、図２、図６又は図２０に示す光送信装置１の構成例と同様である。また、第９の実施形態における光中継装置３の構成例は、図４、図７、図１１、図１３、図１４、図１５、図１７、図１９又は図２１に示す光中継装置３の構成例と同様である。また、第９の実施形態における光受信装置４の構成例は、図９又は図１２に示す光受信装置４の構成例と同様である。
【０１５４】
ＥＭＳ６は、光通信システムのネットワーク管理を行う装置であり、データ用の光信号として用いられる波長を管理する。ＥＭＳ６は、データを伝送するための光信号の波長として、複数の顧客の各々に対して、所定の波長を割り当てる。また、ＥＭＳ６は、当該割り当てた所定の波長を、例えば顧客のニーズや障害の発生等に応じて変更する。
【０１５５】
ＥＭＳ６は、光送信装置１の制御部１３に対して、制御情報として用いる光信号の波長を、制御信号によって通知する。光送信装置１の制御部１３は、制御信号で指定された所定の波長の光信号について、光中継装置３を制御するための制御情報のビットパターンに対応してドロップする（又はドロップしない）旨を、処理部１２に対して指示する。
【０１５６】
また、ＥＭＳ６は、光中継装置３のフィルタ部３４、第１のフィルタ部３４−１又は局発光出力部３６に対して、光送信装置１が制御情報として用いる光信号の波長を制御信号によって通知する。また、ＥＭＳ６は、光中継装置３の第２のフィルタ部３４−２に対して、光送受信装置５が制御情報として用いる光信号の波長を通知する。
【０１５７】
光中継装置３のフィルタ部３４、第１のフィルタ部３４−１又は第２のフィルタ部３４−２は、ＥＭＳ６から通知された制御信号に基づいて、当該制御信号が指定する波長の光信号だけを透過する。また、光中継装置３の局発光出力部３６は、ＥＭＳ６から通知された制御信号に基づいて、当該制御信号が指定する所定の波長の局発光を出力する。
【０１５８】
また、ＥＭＳ６は、光中継装置３の制御部３３に対して、当該光中継装置３が自装置の状態を通知するために用いる制御信号光の波長を通知する。
【０１５９】
光中継装置３の制御部３３は、ＥＭＳ６から通知された制御信号で指定された所定の波長の光信号について、自装置の状況を通知するための通知情報のビットパターンに対応してドロップする（又はドロップしない）旨を、処理部３２に対して指示する。
【０１６０】
また、ＥＭＳ６は、光受信装置４のフィルタ部４４又は局発光出力部４７に対して、制御情報又は通知情報として用いる光信号の波長を通知する。
【０１６１】
光受信装置４のフィルタ部４４は、ＥＭＳ６から通知された制御信号に基づいて、当該制御信号が指定する波長の光信号だけを透過する。また、光受信装置４の局発光出力部４７は、ＥＭＳ６から通知された制御信号に基づいて、当該制御信号が指定する所定の波長の局発光を出力する。
【０１６２】
上記のとおり、第９の実施形態では、ＥＭＳ６が、制御信号光として用いる波長を集中的に管理し、各装置に制御信号光として用いる波長を通知するので、顧客のニーズや障害の発生に応じて当該波長を柔軟に変更することが可能となる。
【０１６３】
＜第１０の実施形態＞
第１０の実施形態について説明する。第１０の実施形態において、光送信装置１又は光中継装置３のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。なお、第１０の実施形態において、該ソフトウェア（プログラム）を実行する装置は、光送信装置１又は光中継装置３に限られず、どのような装置であってもよい。
【０１６４】
第１０の実施形態において、光送信装置１又は光中継装置３は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。光送信装置１又は光中継装置３が取得するプログラム又は該プログラムを記憶した記憶媒体は、本発明を構成することになる。なお、該ソフトウェア（プログラム）は、例えば、光送信装置１又は光中継装置３に含まれる所定の記憶部に予め記憶されていてもよい。
【０１６５】
光送信装置１又は光中継装置３のコンピュータ、ＣＰＵ又はＭＰＵ等は、取得したソフトウェア（プログラム）のプログラムコードを読み出して実行する。
【０１６６】
第１０の実施形態によれば光送信装置１又は光中継装置３のコンピュータ、ＣＰＵ又はＭＰＵ等に実現するためのプログラムといった用途に適用できる。
【０１６７】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組み合わせて実施することもできる。即ち、本発明は、本明細書の全ての開示内容、技術的思想に従って実現できる各種変形、修正を含む。上記の実施形態の一部又は全部は、以下の付記のようにも記載されうるが、以下には限られない。
【０１６８】
［付記１］
波長多重光信号を受信する光受信部と、
前記波長多重光信号に含まれる所定の波長の光パワーをフィルタして出力可能である処理部と、
前記処理部が、前記光受信部が受信した前記波長多重光信号のうち、前記所定の波長の光信号に対して強度変調をかけるように制御する制御部と、
を備える光中継装置。
【０１６９】
［付記２］
前記制御部は、前記処理部が前記所定の波長の光信号を伝送ネットワーク上の他の装置に対する制御情報に基づいて強度変調するように制御することを特徴とする付記１に記載の光中継装置。
【０１７０】
［付記３］
前記制御部は、前記処理部に対し、前記波長多重光信号に含まれる複数の光信号のうち、伝送ネットワーク上の他の装置に制御情報を送信するために使用する光信号に対して強度変調をかけるように制御することを特徴とする付記１又は２に記載の光中継装置。
【０１７１】
［付記４］
前記制御部は、外部からの制御信号に応じて、前記強度変調をかける波長を特定することを特徴とする付記１乃至３のいずれかに記載の光中継装置。
【０１７２】
［付記５］
前記処理部は、前記所定の波長の光信号の光パワーをフィルタすることにより、前記強度変調をかけることを特徴とする付記１乃至４のいずれかに記載の光中継装置。
【０１７３】
［付記６］
前記処理部に対して所定の波長の光を出力する光出力部をさらに備え、
前記処理部は、前記複数の光信号と前記光出力部からの出力光を合波して出力することを特徴とする付記１乃至５のいずれかに記載の光中継装置。
【０１７４】
［付記７］
前記光受信部が受信した前記波長多重光信号を第１の受信装置側に出力される第１の分岐光と第２の受信装置側に出力される第２の分岐光に分岐する分岐部をさらに備え、
前記処理部は、前記第１又は第２の分岐光の少なくともいずれか一方について前記強度変調をかける
ことを特徴とする付記１乃至６のいずれかに記載の光中継装置。
【０１７５】
［付記８］
データ通信に使用可能である、互いに異なる波長の光信号を出力する複数の送信部と、
前記複数の送信部から出力される複数の光信号を合波して波長多重光信号として出力する処理部と、
前記処理部が所定の波長の光信号に対して強度変調をかけるように制御する制御部と、を備える光送信装置と、
前記所定の波長の光信号に含まれる制御情報に基づいて、所定の処理を実行する光通信装置と、
前記所定の波長の光信号に含まれる制御情報に基づいて、所定の処理を実行する光通信装置と、
を含む光通信システム。
【０１７６】
［付記９］
前記制御部は、前記処理部が前記所定の波長の光信号を前記光受信装置に対する制御情報に基づいて強度変調するように制御することを特徴とする付記８に記載の光通信システム。
【０１７７】
［付記１０］
前記制御部は、前記処理部に対し、前記波長多重光信号に含まれる複数の光信号のうち、前記光通信装置に前記制御情報を送信するために使用する前記所定の波長の光信号に対して強度変調をかけるように制御することを特徴とする付記８又は９に記載の光通信システム。
【０１７８】
［付記１１］
前記光中継装置に対して、前記所定の波長を指定する制御信号を通知する制御装置をさらに含み、
前記光中継装置は、前記制御装置からの制御信号に応じて、前記強度変調をかける前記所定の波長を特定することを特徴とする付記８乃至１０のいずれかに記載の光通信システム。
【０１７９】
［付記１２］
波長多重光信号を受信し、
受信した前記波長多重光信号のうち、前記所定の波長の光信号に対して強度変調をかけるように制御し、
前記制御に基づいて、前記波長多重光信号に含まれる所定の波長の光パワーをフィルタして出力する
ことを特徴とする光通信方法。
【０１８０】
［付記１３］
前記所定の波長の光信号を伝送ネットワーク上の他の装置に対する制御情報に基づいて強度変調するように制御することを特徴とする付記１２に記載の光通信方法。
【０１８１】
［付記１４］
前記波長多重光信号に含まれる複数の光信号のうち、伝送ネットワーク上の他の装置に制御情報を送信するために使用する光信号に対して強度変調をかけるように制御することを特徴とする付記１２又は１３に記載の光通信方法。
【０１８２】
［付記１５］
外部からの制御信号に応じて、前記強度変調をかける波長を特定することを特徴とする付記１２乃至１４のいずれかに記載の光通信方法。
【０１８３】
［付記１６］
前記所定の波長の光信号の光パワーをフィルタすることにより、前記強度変調をかけることを特徴とする付記１２乃至１５のいずれかに記載の光通信方法。
【０１８４】
［付記１７］
前記所定の波長の光を出力し、
前記複数の光信号と、前記所定の波長の光を合波して出力する
ことを特徴とする付記１２乃至１６のいずれかに記載の光通信方法。
【０１８５】
［付記１８］
前記波長多重光信号を第１の受信装置側に出力される第１の分岐光と第２の受信装置側に出力される第２の分岐光に分岐し、
前記第１又は第２の分岐光の少なくともいずれか一方について前記強度変調をかける
ことを特徴とする付記１２乃至１７のいずれかに記載の光通信方法。
【０１８６】
［付記１９］
波長多重光信号を受信し、
受信した前記波長多重光信号のうち、前記所定の波長の光信号に対して強度変調をかけるように制御し、
前記制御に基づいて、前記波長多重光信号に含まれる所定の波長の光パワーをフィルタして出力する
ことを特徴とする光通信方法。
【０１８７】
［付記２０］
波長多重光信号を受信する処理と、
受信した前記波長多重光信号のうち、前記所定の波長の光信号に対して強度変調をかけるように制御する処理と、
前記制御に基づいて、前記波長多重光信号に含まれる所定の波長の光パワーをフィルタして出力する処理と
をコンピュータに実行させることを特徴とするプログラム。
【０１８８】
［付記２１］
前記所定の波長の光信号を伝送ネットワーク上の他の装置に対する制御情報に基づいて強度変調するように制御する処理を含むことを特徴とする付記２０に記載のプログラム。
【０１８９】
［付記２２］
前記波長多重光信号に含まれる複数の光信号のうち、伝送ネットワーク上の他の装置に制御情報を送信するために使用する光信号に対して強度変調をかけるように制御する処理を含むことを特徴とする付記２０又は２１に記載のプログラム。
【０１９０】
［付記２３］
外部からの制御信号に応じて、前記強度変調をかける波長を特定する処理を含むことを特徴とする付記２０乃２２のいずれかに記載のプログラム。
【０１９１】
［付記２４］
前記所定の波長の光信号の光パワーをフィルタすることにより、前記強度変調をかける処理を含むことを特徴とする付記２０乃至２３のいずれかに記載のプログラム。
【０１９２】
［付記２５］
前記所定の波長の光を出力する処理と、
前記複数の光信号と、前記所定の波長の光を合波して出力する処理と
を含むことを特徴とする付記２０乃至２４のいずれかに記載のプログラム。
【０１９３】
［付記２６］
前記波長多重光信号を第１の受信装置側に出力される第１の分岐光と第２の受信装置側に出力される第２の分岐光に分岐する処理と、
前記第１又は第２の分岐光の少なくともいずれか一方について前記強度変調をかける処理と
を含むことを特徴とする付記２０乃至２５のいずれかに記載のプログラム。
【産業上の利用可能性】
【０１９４】
本願発明は、制御情報を含む制御光信号を波長多重光信号に重畳して送受信する光通信システムに広く適用することができる。【０１９５】
この出願は、２０１４年３月２７日に出願された日本出願特願２０１４−０６５０１３を基礎とする優先権を主張し、その開示の全てをここに取り込む。
【符号の説明】
【０１９６】
１    光送信装置
２    伝送路
３    光中継装置
４    光受信装置
５    光送受信装置
６    ＥＭＳ
１１、１１−１、１１−Ｎ    送信部
１２    処理部
１３    制御部
１４    光出力部
１５    ＶＯＡ
１６    光分波部
１７    光合波部
３０    光受信部
３１    光分岐部
３１−１    第１の光分岐部
３１−２    第２の光分岐部
３１−３    第３の光分岐部
３２    ＷＳＳ
３２−１    第１の処理部
３２−２    第２の処理部
３３    制御部
３４    フィルタ部
３４−１    第１のフィルタ部
３４−２    第２のフィルタ部
３４−３    第３のフィルタ部
３４−４    第４のフィルタ部
３５    受信部
３６    局発光出力部
３７    光分波部
３８    ＶＯＡ
３９    光出力部
【図１】
2015145985.tif 000003
【図２】
2015145985.tif 000004
【図３】
2015145985.tif 000005
【図４】
2015145985.tif 000006
【図５】
2015145985.tif 000007
【図６】
2015145985.tif 000008
【図７】
2015145985.tif 000009
【図８】
2015145985.tif 000010
【図９】
2015145985.tif 000011
【図１０】
2015145985.tif 000012
【図１１】
2015145985.tif 000013
【図１２】
2015145985.tif 000014
【図１３】
2015145985.tif 000015
【図１４】
2015145985.tif 000016
【図１５】
2015145985.tif 000017
【図１６】
2015145985.tif 000018
【図１７】
2015145985.tif 000019
【図１８】
2015145985.tif 000020
【図１９】
2015145985.tif 000021
【図２０】
2015145985.tif 000022
【図２１】
2015145985.tif 000023
【図２２】
2015145985.tif 000024
【手続補正書】
【提出日】平成28年9月13日(2016.9.13)
【手続補正２】
【補正対象書類名】特許請求の範囲
【補正対象項目名】全文
【補正方法】変更
【補正の内容】
【特許請求の範囲】
【請求項１】
波長多重光信号を受信する光受信手段と、
第１の波長を指定すると共に通知情報を出力する制御手段と、
前記受信された波長多重光信号から前記第１の波長の光信号を選択して前記通知情報に応じた強度変調を施し、当該強度変調した光信号を前記波長多重光信号に戻して出力する処理手段と、
を備える光中継装置。
【請求項２】
前記処理手段は、前記第１の波長の光信号の光パワーを前記通知情報に応じてフィルタすることにより、前記強度変調を施すことを特徴とする請求項１に記載の光中継装置。
【請求項３】
前記処理手段は、前記指定された波長の光信号の光パワーを前記制御情報に応じて減衰する可変光減衰器を含む、請求項２に記載の光中継装置。
【請求項４】
前記第１の波長の光信号の、前記フィルタによる光強度変化を補償するための、前記第１の波長とは異なる波長を有するダミー光を生成して前記処理手段に出力する光出力手段をさらに備えることを特徴とする請求項２又は３に記載の光中継装置。
【請求項５】
前記制御手段は、自装置の状態を通知するための通知情報を出力することを特徴とする請求項１乃至４のいずれか１項に記載の光中継装置。
【請求項６】
前記制御手段は、外部から入力された制御信号に応じて、前記第１の波長を指定することを特徴とする請求項１乃至５のいずれか１項に記載の光中継装置。
【請求項７】
前記受信された波長多重光信号を分岐し、一方の波長多重光信号を外部に出力すると共に他方の波長多重光信号を前記処理手段に出力する分岐手段をさらに備えることを特徴とする請求項１乃至６のいずれか１項に記載の光中継装置。
【請求項８】
前記波長多重光信号は、制御情報に応じた強度変調が施された第２の波長の光信号と、前記第２の波長とは異なる波長を有する複数の光信号と、が重畳されたものであり、
前記処理手段は、入力された制御信号に基づいて、前記受信された波長多重光信号から前記第２の波長の光信号を抽出し、
前記制御手段は、前記抽出された第２の波長の光信号から前記制御情報を取得し、取得した制御情報に基づいて所定の制御を行う、
請求項１乃至７のいずれか１項に記載の光中継装置。
【請求項９】
前記制御情報は、前記第１の波長を指定する情報であり、
前記制御手段は、取得した制御情報に基づいて前記第１の波長を指定する、
請求項８に記載の光中継装置。
【請求項１０】
波長多重光信号を受信し、
第１の波長を指定すると共に通知情報を出力し、
前記受信された波長多重光信号から前記第１の波長の光信号を選択して前記通知情報に応じた強度変調を施し、当該強度変調した光信号を前記波長多重光信号に戻して出力する、
光中継方法。
【国際調査報告】
2015145985.tif 000025
2015145985.tif 000026
2015145985.tif 000027
2015145985.tif 000028